(57)【要約】【課題】誘電体材料からなる素体において端子電極付近での電歪効果による機械的歪みを抑制することが可能な積層コンデンサを提供すること。【解決手段】積層コンデンサは、コンデンサ素体２と、コンデンサ素体２内に配置された内部電極Ｅ１，Ｅ２と、第１〜第４の端子電極４，６，８，１０とを備えている。第１〜第４の端子電極４〜１０の電極部分４ａ，６ａ，８ａ，１０ａは、第１の側面２ａと第３の側面２ｃ、第１の側面２ａと第４の側面２ｄ、第２の側面２ｂと第３の側面２ｃ、第２の側面２ｂと第４の側面２ｄが交差してなる稜線部を覆っている。コンデンサ素体２は素体部分２１を有しており、素体部分２１は矢印Ｂ及びＣ方向から見ると電極部分４ａ，６ａ，８ａ，１０ａと重なり、矢印Ａ方向から見ると電極部分４ａ，６ａ，８ａ，１０ａの周辺領域それぞれを避けるように形成されている。【選択図】図２
2008187036.tif 000002
【特許請求の範囲】
【請求項１】
誘電体材料からなり略直方体形状を呈した素体と、
少なくとも一部が互いに対向するように前記素体内に配置された複数の内部電極と、
前記素体上に配置されると共に、前記複数の内部電極のうち対応する内部電極にそれぞれ接続された第１、第２、第３、及び第４の端子電極と、を備え、
前記素体は、前記複数の内部電極が対向する第１の方向に平行で且つ互いに対向する第１及び第２の側面と、前記第１及び第２の側面に連続すると共に前記第１の方向に平行で且つ互いに対向する第３及び第４の側面と、前記第１〜第４の側面に連続すると共に前記第１の方向において互いに対向する第５及び第６の側面とを有し、
前記第１の端子電極は、前記第１の側面における前記第３の側面側の縁部と前記第３の側面における前記第１の側面側の縁部とを覆うように配置された電極部分を有し、
前記第２の端子電極は、前記第１の側面における前記第４の側面側の縁部と前記第４の側面における前記第１の側面側の縁部とを覆うように配置された電極部分を有し、
前記第３の端子電極は、前記第２の側面における前記第３の側面側の縁部と前記第３の側面における前記第２の側面側の縁部とを覆うように配置された電極部分を有し、
前記第４の端子電極は、前記第２の側面における前記第４の側面側の縁部と前記第４の側面における前記第２の側面側の縁部とを覆うように配置された電極部分を有し、
前記素体における前記複数の内部電極に挟まれる素体部分は、前記第１及び第２の側面が対向する第２の方向から見ると前記第１〜第４の端子電極の前記電極部分と重なり、前記第３及び第４の側面が対向する第３の方向から見ると前記第１〜第４の端子電極の前記電極部分と重なり、前記第１の方向から見ると前記第１〜第４の端子電極の前記電極部分の周辺領域それぞれを避けるように形成されていることを特徴とする積層コンデンサ。
【請求項２】
前記第１〜第４の端子電極は、前記電極部分に連続し且つ前記第５及び第６の側面の少なくともいずれかに配置された他の電極部分をそれぞれ更に有し、
前記素体部分は、前記第１の方向から見ると、前記第１〜第４の端子電極の前記他の電極部分が形成された領域それぞれを避けるように形成されていることを特徴とする請求項１に記載の積層コンデンサ。
【請求項３】
前記素体部分は、前記第１の方向から見ると、前記第１の端子電極の前記電極部分と当該電極部分の両端をつなぐ仮想線とによって囲まれる第１の領域と、前記第２の端子電極の前記電極部分と当該電極部分の両端をつなぐ仮想線とによって囲まれる第２の領域と、前記第３の端子電極の前記電極部分と当該電極部分の両端をつなぐ仮想線とによって囲まれる第３の領域と、前記第４の端子電極の前記電極部分と当該電極部分の両端をつなぐ仮想線とによって囲まれる第４の領域とを避けるように形成されていることを特徴とする請求項１に記載の積層コンデンサ。
【請求項４】
前記素体部分は、前記第１の方向から見ると、前記第１〜第４の端子電極の前記他の電極部分が配置された領域を除いた残りの略十字状の領域に形成されていることを特徴とする請求項２に記載の積層コンデンサ。
【請求項５】
前記素体部分は、前記第１の方向から見ると、前記第１〜第４の領域を除いた残りの略十字状の領域に形成されていることを特徴とする請求項３に記載の積層コンデンサ。
【請求項６】
誘電体材料からなり略直方体形状を呈した素体と、
少なくとも一部が互いに対向するように前記素体内に配置された複数の内部電極と、
前記素体上に配置されると共に、前記複数の内部電極のうち対応する内部電極にそれぞれ接続された第１、第２、第３、第４、第５、第６、第７、及び第８の端子電極と、を備え、
前記素体は、前記複数の内部電極が対向する第１の方向に平行で且つ互いに対向する第１及び第２の側面と、前記第１及び第２の側面に連続すると共に前記第１の方向に平行で且つ互いに対向する第３及び第４の側面と、前記第１〜第４の側面に連続すると共に前記第１の方向において互いに対向する第５及び第６の側面とを有し、
前記第１の端子電極は、前記第１の側面における前記第３の側面側の縁部に配置された電極部分を有し、
前記第２の端子電極は、前記第１の側面における前記第４の側面側の縁部に配置された電極部分を有し、
前記第３の端子電極は、前記第２の側面における前記第３の側面側の縁部に配置された電極部分を有し、
前記第４の端子電極は、前記第２の側面における前記第４の側面側の縁部に配置された電極部分を有し、
前記第５の端子電極は、前記第３の側面における前記第１の側面側の縁部に配置された電極部分を有し、
前記第６の端子電極は、前記第４の側面における前記第１の側面側の縁部に配置された電極部分を有し、
前記第７の端子電極は、前記第３の側面における前記第２の側面側の縁部に配置された電極部分を有し、
前記第８の端子電極は、前記第４の側面における前記第２の側面側の縁部に配置された電極部分を有し、
前記素体における前記複数の内部電極に挟まれる素体部分は、前記第１及び第２の側面が対向する第２の方向から見ると前記第１〜第４の端子電極の前記電極部分と重なり、前記第３及び第４の側面が対向する第３の方向から見ると前記第５〜第８の端子電極の前記電極部分と重なり、前記第１の方向から見ると前記第１〜第８の端子電極の前記電極部分の周辺領域それぞれを避けるように形成されていることを特徴とする積層コンデンサ。
【発明の詳細な説明】
【技術分野】
【０００１】
本発明は、積層コンデンサに関するものである。
【背景技術】
【０００２】
この種の積層コンデンサとして、誘電体材料からなる素体と、素体内に形成された複数の内部電極と、素体上に形成された複数の端子電極とを備えたものが知られている（例えば、特許文献１参照）。
【特許文献１】特開平９−１４８１７４号公報
【発明の開示】
【発明が解決しようとする課題】
【０００３】
本発明は、誘電体材料からなる素体において端子電極付近での電歪効果による機械的歪みを抑制することが可能な積層コンデンサを提供することを課題とする。
【課題を解決するための手段】
【０００４】
ところで、誘電体材料からなる素体を備える積層コンデンサに電圧を印加すると、電歪効果により素体に印加電圧に応じた大きさの機械的歪みが生じてしまうという問題がある。特に、交流電圧を印加した場合、積層コンデンサには振動が生じてしまう。積層コンデンサを基板等に実装した場合に、こうした機械的歪みが発生すると、歪みによる振動の伝播により、基板において音鳴りが発生してしまう。
【０００５】
そこで、本発明者は、積層コンデンサを基板等に実装した際に発生する音鳴りを低減することについて鋭意検討を行った。その結果、本発明者は、音鳴りは積層コンデンサを実装する基板等と積層コンデンサとの接触部分、すなわち基板のランド電極等と積層コンデンサの端子電極との接触部分で発生するとの知見を得るに至った。本発明者は、当該知見に基づきさらなる検討を重ねた結果、素体の端子電極近傍の領域に加わる電界を抑制することで、電歪効果による素体の機械的歪みの端子電極への影響が抑制されるとの新たな事実を見出すに至った。
【０００６】
このような検討結果を踏まえ、本発明による積層コンデンサは、誘電体材料からなり略直方体形状を呈した素体と、少なくとも一部が互いに対向するように素体内に配置された複数の内部電極と、素体上に配置されると共に、複数の内部電極のうち対応する内部電極にそれぞれ接続された第１、第２、第３、及び第４の端子電極と、を備え、素体は、複数の内部電極が対向する第１の方向に平行で且つ互いに対向する第１及び第２の側面と、第１及び第２の側面に連続すると共に第１の方向に平行で且つ互いに対向する第３及び第４の側面と、第１〜第４の側面に連続すると共に第１の方向において互いに対向する第５及び第６の側面とを有し、第１の端子電極は、第１の側面における第３の側面側の縁部と第３の側面における第１の側面側の縁部とを覆うように配置された電極部分を有し、第２の端子電極は、第１の側面における第４の側面側の縁部と第４の側面における第１の側面側の縁部とを覆うように配置された電極部分を有し、第３の端子電極は、第２の側面における第３の側面側の縁部と第３の側面における第２の側面側の縁部とを覆うように配置された電極部分を有し、第４の端子電極は、第２の側面における第４の側面側の縁部と第４の側面における第２の側面側の縁部とを覆うように配置された電極部分を有し、素体における複数の内部電極に挟まれる素体部分は、第１及び第２の側面が対向する第２の方向から見ると第１〜第４の端子電極の電極部分と重なり、第３及び第４の側面が対向する第３の方向から見ると第１〜第４の端子電極の電極部分と重なり、第１の方向から見ると第１〜第４の端子電極の電極部分の周辺領域それぞれを避けるように形成されていることを特徴とする。
【０００７】
本発明に係る積層コンデンサは、誘電体材料からなる素体と、素体内に配置された複数の内部電極と、素体上に配置された第１〜第４の端子電極とを備えている。素体は素体部分を有しており、該素体部分は第１の方向から見て第１〜第４の端子電極の電極部分の周辺領域それぞれを避けるように形成されている。したがって、各電極部分と素体部分とは隔たりを有することとなる。素体部分は複数の内部電極に挟まれてなる部分であるため電歪効果を発生するが、各電極部分は素体部分から離れているので、各電極部分と該素体部分との間において電歪効果の影響が緩和されることになる。よって、第１〜第４の端子電極付近での電歪効果による機械的歪みを抑制することができる。
【０００８】
また、各電極部分と素体部分とは、第２，第３の方向から見ると重なりを有している。すなわち素体において、隣り合う電極部分で挟まれた領域及び対向する電極部分で挟まれた領域にも素体部分が形成されている。素体部分の形成範囲を素体の中央部だけでなく上記の領域に拡げることによって、積層コンデンサの静電容量を十分確保することが可能となる。
【０００９】
また、本発明の積層コンデンサでは、第１〜第４の端子電極は、電極部分に連続し且つ第５及び第６の側面の少なくともいずれかに配置された他の電極部分をそれぞれ更に有し、素体部分は、第１の方向から見ると、第１〜第４の端子電極の他の電極部分が形成された領域それぞれを避けるように形成されていることが好ましい。素体部分は他の電極部分の形成領域を避けるように形成されているので、他の電極部分と素体部分との間において電歪効果の影響が緩和されることになる。よって、第１〜第４の端子電極付近での電歪効果による機械的歪みを抑制することができる。他の電極部分は第５，第６の側面に配されるので、各端子電極と基板のランド電極との接続がいっそう容易となる。
【００１０】
また、本発明の積層コンデンサでは、素体部分は、第１の方向から見ると、第１の端子電極の電極部分と当該電極部分の両端をつなぐ仮想線とによって囲まれる第１の領域と、第２の端子電極の電極部分と当該電極部分の両端をつなぐ仮想線とによって囲まれる第２の領域と、第３の端子電極の電極部分と当該電極部分の両端をつなぐ仮想線とによって囲まれる第３の領域と、第４の端子電極の電極部分と当該電極部分の両端をつなぐ仮想線とによって囲まれる第４の領域とを避けるように形成されていることが好ましい。素体部分と第１〜第４の端子電極の電極部分との間には第１〜第４の領域が存在することなるため、第１〜第４の領域において電歪効果の影響が緩和されることになる。よって、第１〜第４の端子電極付近での電歪効果による機械的歪みを抑制することができる。
【００１１】
また、本発明の積層コンデンサでは、素体部分は、第１の方向から見ると、第１〜第４の端子電極の他の電極部分が配置された領域を除いた残りの略十字状の領域に形成されていることが好ましい。この場合、他の電極部分の直下に素体部分が形成されることが確実になくなるため、電極部分及び他の電極部分を素体部分からより確実に離すことができる。その結果、第１〜第４の端子電極付近での電歪効果による機械的歪みをより確実に抑制することができる。また、各端子電極に挟まれた領域に素体部分が確実に形成されるため、十分な静電容量をより確実に得ることができる。
【００１２】
また、本発明の積層コンデンサでは、第１の方向から見ると、第１〜第４の領域を除いた残りの略十字状の領域に形成されていることが好ましい。この場合、第１〜第４の領域の直下に素体部分が形成されることが確実になくなるため、電極部分の形成領域を素体部分から確実に離すことができる。その結果、第１〜第４の端子電極付近での電歪効果による機械的歪みをより確実に抑制することができる。また、各端子電極に挟まれた領域にも素体部分が形成されるため、十分な静電容量を確実に得ることができる。
【００１３】
本発明の積層コンデンサは、誘電体材料からなり略直方体形状を呈した素体と、少なくとも一部が互いに対向するように素体内に配置された複数の内部電極と、素体上に配置されると共に、複数の内部電極のうち対応する内部電極にそれぞれ接続された第１、第２、第３、第４、第５、第６、第７、及び第８の端子電極と、を備え、素体は、複数の内部電極が対向する第１の方向に平行で且つ互いに対向する第１及び第２の側面と、第１及び第２の側面に連続すると共に第１の方向に平行で且つ互いに対向する第３及び第４の側面と、第１〜第４の側面に連続すると共に第１の方向において互いに対向する第５及び第６の側面とを有し、第１の端子電極は、第１の側面における第３の側面側の縁部に配置された電極部分を有し、第２の端子電極は、第１の側面における第４の側面側の縁部に配置された電極部分を有し、第３の端子電極は、第２の側面における第３の側面側の縁部に配置された電極部分を有し、第４の端子電極は、第２の側面における第４の側面側の縁部に配置された電極部分を有し、第５の端子電極は、第３の側面における第１の側面側の縁部に配置された電極部分を有し、第６の端子電極は、第４の側面における第１の側面側の縁部に配置された電極部分を有し、第７の端子電極は、第３の側面における第２の側面側の縁部に配置された電極部分を有し、第８の端子電極は、第４の側面における第２の側面側の縁部に配置された電極部分を有し、素体における複数の内部電極に挟まれる素体部分は、第１及び第２の側面が対向する第２の方向から見ると第１〜第４の端子電極の電極部分と重なり、第３及び第４の側面が対向する第３の方向から見ると第５〜第８の端子電極の電極部分と重なり、第１の方向から見ると第１〜第８の端子電極の電極部分の周辺領域それぞれを避けるように形成されていることを特徴とする。
【００１４】
本発明に係る積層コンデンサは、誘電体材料からなる素体と、素体内に配置された複数の内部電極と、素体上に配置された第１〜第８の端子電極とを備えている。素体は素体部分を有しており、該素体部分は第１の方向から見て第１〜第８の端子電極の電極部分の周辺領域それぞれを避けるように形成されている。したがって、各電極部分が形成された領域と素体部分とは隔たりを有することとなる。素体部分は複数の内部電極に挟まれてなる部分であるため電歪効果を発生するが、各電極部分は素体部分から離れているので、各電極部分と該素体部分との間にて電歪効果の影響が緩和されることになる。よって、第１〜第８の端子電極付近での電歪効果による機械的歪みを抑制することができる。
【００１５】
また、各電極部分と素体部分とは、第２，第３の方向から見ると重なりを有している。すなわち素体において、隣り合う電極部分で挟まれた領域及び対向する電極部分で挟まれた領域にも素体部分が形成されている。素体部分の形成範囲が素体の中央部だけでなく上記の領域にも拡げることによって、積層コンデンサの静電容量を十分確保することが可能となる。
【発明の効果】
【００１６】
本発明によれば、誘電体材料からなる素体において端子電極付近での電歪効果による機械的歪みを抑制することが可能な積層コンデンサを提供することができる。
【発明を実施するための最良の形態】
【００１７】
以下、添付図面を参照して、好適な実施形態について詳細に説明する。なお、説明において、同一要素又は同一機能を有する要素には、同一符号を用いることとし、重複する説明は省略する。
【００１８】
（第１実施形態）
図１及び図２に基づいて、第１実施形態に係る積層コンデンサＣ１の構成について説明する。図１は、本実施形態に係る積層コンデンサの斜視図である。図２は、本実施形態に係る積層コンデンサの側面図である。図３は、本実施形態に係る積層コンデンサの断面図である。なお、図３において断面のハッチングは省略している。
【００１９】
積層コンデンサＣ１は、図１〜図３に示すように、コンデンサ素体(素体)２と、複数（本実施形態では２つ）の内部電極Ｅ１，Ｅ２と、第１の端子電極４と、第２の端子電極６と、第３の端子電極８と、第４の端子電極１０とを備えている。
【００２０】
コンデンサ素体２は略直方体形状を呈しており、矢印Ａ方向（第１の方向）に平行で且つ互いに対向する第１の側面２ａ及び第２の側面２ｂと、第１及び第２の側面２ａ，２ｂに連続すると共に且つ矢印Ａ方向に平行で且つ互いに対向する第３の側面２ｃ及び第４の側面２ｄと、第１〜第４の側面２ａ〜２ｄに連続すると共に矢印Ａ方向において互いに対向する第５の側面２ｅ及び第６の側面２ｆとを有している。ここで、矢印Ａ方向は内部電極Ｅ１，Ｅ２が対向する方向を指す。なお、図１に示される矢印Ｂは第１及び第２の側面２ａ，２ｂが対向する方向を指し、矢印Ｃは第３及び第４の側面２ｃ，２ｄが対向する方向を指す。
【００２１】
図１に示すように、コンデンサ素体２上には、断面コの字状の第１〜第４の端子電極４，６，８，１０が配置されている。第１の端子電極４は電極部分４ａ，４ｂを有し、第２の端子電極６は電極部分６ａ，６ｂを有し、第３の端子電極８は電極部分８ａ，８ｂを有し、第４の端子電極１０は電極部分１０ａ，１０ｂを有している。第１〜第４の端子電極４，６，８，１０は、例えば、導電性金属粉末及びガラスフリットを含む導電性ペーストをコンデンサ素体２の対応する外表面に焼き付けることによって形成される。なお、必要に応じて、焼き付けられた電極の上にめっき層が形成されることもある。
【００２２】
第１の端子電極４の電極部分４ａは、第１の側面２ａにおける第３の側面２ｃ側の縁部と、第３の側面２ｃにおける第１の側面２ａの縁部とを覆うように配置されている。すなわち電極部分４ａは、第１及び第３の側面２ａ，２ｃが交差してなる稜線部に形成されている。第２の端子電極６の電極部分６ａは、第１の側面２ａにおける第４の側面２ｄ側の縁部と、第４の側面２ｄにおける第１の側面２ａの縁部とを覆うように配置されている。すなわち電極部分６ａは、第１及び第４の側面２ａ，２ｄが交差してなる稜線部に形成されている。第３の端子電極８の電極部分８ａは、第２の側面２ｂにおける第３の側面２ｃ側の縁部と、第３の側面２ｃにおける第２の側面２ｂの縁部とを覆うように配置されている。すなわち電極部分８ａは、第２及び第３の側面２ｂ，２ｃが交差してなる稜線部に形成されている。第４の端子電極１０の電極部分１０ａは、第２の側面２ｂにおける第４の側面２ｄ側の縁部と、第４の側面２ｄにおける第２の側面２ｂの縁部とを覆うように配置されている。すなわち電極部分１０ａは、第２及び第４の側面２ｂ，２ｄが交差してなる稜線部に形成されている。
【００２３】
第１の端子電極４の電極部分（他の電極部分）４ｂは電極部分４ａと、第２の端子電極６の電極部分（他の電極部分）６ｂは電極部分６ａと、第３の端子電極８の電極部分（他の電極部分）８ｂは電極部分８ａと、第４の端子電極１０の電極部分（他の電極部分）１０ｂは電極部分１０ａと、それぞれ連続している。電極部分４ｂ，６ｂ，８ｂ，１０ｂはコンデンサ素体２の第５及び第６の側面２ｅ，２ｆに配置されている。
【００２４】
コンデンサ素体２は誘電体材料からなるものであって、図２に示すように、コンデンサ素体２の内部には内部電極Ｅ１，Ｅ２が配置されている。より具体的には、コンデンサ素体２においては、図示しない誘電体層を介在させて内部電極Ｅ１，Ｅ２が積層されている。図示しない誘電体層は、例えば誘電体セラミックを含むセラミックグリーンシートの焼結体から構成される。内部電極Ｅ１，Ｅ２は、導電性ペーストの焼結体から構成される。
【００２５】
図３（ａ）に示すように、内部電極Ｅ１は、主電極部１２と、引き出し電極部１４，１６とを含んでいる。主電極部１２には一対の切り欠き部１２ａが設けられ、該切り欠き部１２ａの位置は、第１及び第２の端子電極４，６が有する電極部分４ｂ，６ｂの形成位置と対応している。引き出し電極部１４は、主電極部１２から伸び、第１及び第３の側面２ａ，２ｃが交差してなる稜線部に引き出されて第１の端子電極４と電気的且つ物理的に接続されている。引き出し電極部１６は、主電極部１２から伸び、第１及び第４の側面２ａ，２ｄが交差してなる稜線部に引き出されて第２の端子電極６と電気的且つ物理的に接続されている。
【００２６】
内部電極Ｅ２は、図３（ｂ）に示すように、主電極部１７と、引き出し電極部１８，２０とを含んでいる。主電極部１７には一対の切り欠き部１７ａが設けられ、該切り欠き部１７ａの位置は、第３及び第４の端子電極８，１０が有する電極部分８ｂ，１０ｂの形成位置と対応している。引き出し電極部１８は、主電極部１７から伸び、第２及び第３の側面２ｂ，２ｃが交差してなる稜線に引き出されて第３の端子電極８と電気的且つ物理的に接続されている。引き出し電極部２０は、主電極部１７から伸び、第２及び第４の側面２ｂ，２ｄが交差してなる稜線部に引き出されて第４の端子電極１０と電気的且つ物理的に接続されている。
【００２７】
内部電極Ｅ１，Ｅ２は、図１に示す矢印Ａ方向から見たときに内部電極Ｅ１の主電極部１２と内部電極Ｅ２の主電極部１７とが重なるように配置されている。これにより、コンデンサ素体２には、内部電極Ｅ１の主電極部１２と内部電極Ｅ２の主電極部１７とに挟まれる部分が存在することとなる。以後、この部分を素体部分２１と呼ぶ。
【００２８】
図２（ｃ）に示すように、素体部分２１は、第５の側面２ｅ側から見ると、第１〜第４の端子電極４，６，８，１０の電極部分４ｂ，６ｂ，８ｂ，１０ｂが形成された領域を避けるように形成されている。なお、図２（ｃ）は積層コンデンサＣ１を第５の側面２ｅ側から見た図であるが、第６の側面２ｆ側から見た場合にも、素体部分２１は第１〜第４の端子電極４，６，８，１０の電極部分４ｂ，６ｂ，８ｂ，１０ｂの周辺領域を避けるように形成されている。すなわち、素体部分２１は、矢印Ａ方向から見ると電極部分４ｂ，６ｂ，８ｂ，１０ｂを避けるように形成されている。
【００２９】
矢印Ａ方向から見たときの素体部分２１について、更に詳しく述べる。素体部分２１は、電極部分４ｂ，６ｂ，８ｂ，１０ｂが配置された領域を除いてなる略十字状の領域に形成されている。略十字状の領域は、電極部分４ｂと電極部分８ｂとで挟まれた領域Ａ１と、電極部分６ｂと電極部分１０ｂとで挟まれた領域Ａ２と、電極部分４ｂと電極部分６ｂとで挟まれた領域Ａ３と、電極部分８ｂと電極部分１０ｂとで挟まれた領域Ａ４と、領域Ａ１〜Ａ４で囲まれた領域Ａ５とからなっている。素体部分２１は領域Ａ１〜Ａ５全てに及ぶよう形成されており、略十字状を呈している。また、矢印Ａ方向から見たときの素体部分２１は、電極部分４ｂ，６ｂ，８ｂ，１０ｂと重なりを有していない。
【００３０】
矢印Ａ方向から見たときに略十字状を呈する素体部分２１は、図２（ａ）に示すように、第１の側面２ａ側から見たときには、第１及び第２の端子電極４，６の電極部分４ａ，６ａと重なることになる。なお、図２（ａ）は積層コンデンサＣ１を第１の側面２ａ側から見た図であるが、第２の側面２ｂ側から見た場合には、素体部分２１は第３及び第４の端子電極８，１０の電極部分８ａ，１０ａと重なることになる。すなわち、素体部分２１は、矢印Ｂ方向から見ると電極部分４ａ，６ａ，８ａ，１０ａと重なることになる。
【００３１】
また、矢印Ａ方向から見たときに略十字状を呈する素体部分２１は、図２（ｂ）に示すように、第３の側面２ｃ側から見たときには、第１及び第３の端子電極４，８の電極部分４ａ，８ａと重なることになる。なお、図２（ｂ）は積層コンデンサＣ１を第３の側面２ｃ側から見た図であるが、第４の側面２ｄ側から見た場合には、素体部分２１は第２及び第４の端子電極６，１０の電極部分６ａ，１０ａと重なることになる。すなわち、素体部分２１は、矢印Ｃ方向から見ると電極部分４ａ，６ａ，８ａ，１０ａと重なることになる。
【００３２】
以上の構成を有する積層コンデンサＣ１の動作について説明する。第１〜第４の端子電極４，６，８，１０を基板のランド電極等に接続し、第１〜第４の端子電極４，６，８，１０を介して内部電極Ｅ１，Ｅ２に電圧を印加すると、内部電極Ｅ１の主電極部１２と内部電極Ｅ２の主電極部１７とに挟まれた素体部分２１において、電歪効果が発生する。素体部分２１は、矢印Ａ方向から見ると、電極部分４ｂ，６ｂ，８ｂ，１０ｂが配置された領域を除いてなる略十字状の領域に形成されているため、電極部分４ｂ，６ｂ，８ｂ，１０ｂの直下には素体部分２１が存在しない。素体部分２１が電極部分４ｂ，６ｂ，８ｂ，１０ｂの直下に存在しない分、素体部分２１と電極部分４ａ，６ａ，８ａ，１０ａ，４ｂ，６ｂ，８ｂ，１０ｂとは隔たりを有することとなる。素体部分２１に発生した電歪効果の影響は、素体部分２１と電極部分４ａ，６ａ，８ａ，１０ａ，４ｂ，６ｂ，８ｂ，１０ｂとの間で緩和される。その結果、電極部分４ａ，６ａ，８ａ，１０ａ，４ｂ，６ｂ，８ｂ，１０ｂは、電歪効果の影響を受けにくくなる。このように本実施形態にかかる積層コンデンサＣ１では、第１〜第４の端子電極４，６，８，１０付近での電歪効果による機械的歪みを抑制することができ、歪んだコンデンサ素体２に第１〜第４の端子電極４，６，８，１０が引っ張られる可能性を低減できる。
【００３３】
したがって、積層コンデンサＣ１を基板等に実装して電圧を加えた場合、基板等において発生する音鳴りは抑制される。
【００３４】
また積層コンデンサＣ１では、素体部分２１が、電極部分４ｂ，６ｂ，８ｂ，１０ｂで挟まれた領域Ａ１〜Ａ４全てに形成されている。素体部分２１の形成範囲がコンデンサ素体２の中央部だけでなく領域Ａ１〜Ａ４にも拡がっているため、静電容量を十分確保することができる。
【００３５】
また、積層コンデンサＣ１では、コンデンサ素体２の第１及び第２の側面２ａ，２ｂ（あるいは第３及び第４の側面２ｃ，２ｄ）全体を覆うように電極部分を形成した場合と比して、電極部分の形成範囲が狭い。このため、電歪効果によって歪んだコンデンサ素体２に第１〜第４の端子電極４，６，８，１０が引っ張られたとしても、積層コンデンサＣ１を実装する基板等に与える影響を小さくすることができる。更に積層コンデンサＣ１は、第１〜第６の側面２ａ〜２ｆ全てに電極部分が配されているので、基板のランド電極と積層コンデンサＣ１との接続が容易となる。
【００３６】
（第２実施形態）
図４を参照して、第２実施形態に係る積層コンデンサについて説明する。第２実施形態に係る積層コンデンサは、端子電極の位置が第１実施形態に係る積層コンデンサＣ１と相違する。図４は、本実施形態に係る積層コンデンサの図であって、図４（ａ）は斜視図であり、図４（ｂ）は上面図である。
【００３７】
第２実施形態に係る積層コンデンサＣ２は、コンデンサ素体２と、内部電極Ｅ１，Ｅ２と、第１の端子電極２４と、第２の端子電極２６と、第３の端子電極２８と、第４の端子電極３０と、第５の端子電極３４と、第６の端子電極３６と、第７の端子電極３８と、第８の端子電極４０とを備えている。コンデンサ素体２及び内部電極Ｅ１，Ｅ２は、第１実施形態に係る積層コンデンサＣ１のコンデンサ素体２及び内部電極Ｅ１，Ｅ２と同様の構成を有している。
【００３８】
図４（ａ）に示すように、コンデンサ素体２上には、断面コの字状の第１〜第８の端子電極２４，２６，２８，３０，３４，３６，３８，４０が配置されている。第１の端子電極２４は電極部分２４ａを、第２の端子電極２６は電極部分２６ａを、第３の端子電極２８は電極部分２８ａを、第４の端子電極３０は電極部分３０ａを、第５の端子電極３４は電極部分３４ａを、第６の端子電極３６は電極部分３６ａを、第７の端子電極３８は電極部分３８ａを、第８の端子電極４０は電極部分４０ａを、それぞれ有している。第１〜第８の端子電極２４，２６，２８，３０，３４，３６，３８，４０の材料および形成方法は、第１実施形態に係る積層コンデンサＣ１の第１〜第４の端子電極４，６，８，１０と同様である。
【００３９】
第１の端子電極２４の電極部分２４ａは、第１の側面２ａにおける第３の側面２ｃ側の縁部に配置されており、第２の端子電極２６の電極部分２６ａは、第１の側面２ａにおける第４の側面２ｄ側の縁部に配置されている。第３の端子電極２８の電極部分２８ａは、第２の側面２ｂにおける第３の側面２ｃ側の縁部に配置されており、第４の端子電極３０の電極部分３０ａは、第２の側面２ｂにおける第４の側面２ｄ側の縁部に配置されている。第５の端子電極３４の電極部分３４ａは、第３の側面２ｃにおける第１の側面２ａ側の縁部に配置されており、第６の端子電極３６の電極部分３６ａは、第４の側面２ｄにおける第１の側面２ａ側の縁部に配置されている。第７の端子電極３８の電極部分３８ａは、第３の側面２ｃにおける第２の側面２ｂ側の縁部に配置されており、第８の端子電極４０の電極部分４０ａは、第４の側面２ｄにおける第２の側面２ｂ側の縁部に配置されている。
【００４０】
このように、電極部分２４ａ，２６ａ，２８ａ，３０ａ，３４ａ，３６ａ，３８ａ，４０ａは第１〜第６の側面２ａ〜２ｆの縁部に配置されている。これに対してコンデンサ素体２の素体部分２１は、第１実施形態で述べたように、略十字状に形成されている。そのため、積層コンデンサＣ２において素体部分２１は、図４（ｂ）に示すように、矢印Ａ方向から見ると電極部分２４ａ，２６ａ，２８ａ，３０ａ，３４ａ，３６ａ，３８ａ，４０ａの周辺領域を避けるように形成されているといえる。また、素体部分２１は、矢印Ｂ方向から見ると第１〜第４の端子電極２４ａ，２６ａ，２８ａ，３０ａと重なっており、矢印Ｃ方向から見ると第５〜第８の端子電極３４ａ，３６ａ，３８ａ，４０ａと重なっている。
【００４１】
このような構成を有する積層コンデンサＣ２では、第１〜第８の端子電極２４，２６，２８，３０，３４，３６，３８，４０を介して内部電極Ｅ１，Ｅ２に電圧を印加すると、素体部分２１において電歪効果が発生する。素体部分２１は、矢印Ａ方向から見ると、電極部分２４ａ，２６ａ，２８ａ，３０ａ，３４ａ，３６ａ，３８ａ，４０ａが配置された領域を避けるように形成されているため、これらの電極部分の周辺には素体部分２１が存在しない。よって、素体部分２１と電極部分２４ａ，２６ａ，２８ａ，３０ａ，３４ａ，３６ａ，３８ａ，４０ａとは隔たりを有することとなる。素体部分２１に発生した電歪効果の影響は、素体部分２１と電極部分２４ａ，２６ａ，２８ａ，３０ａ，３４ａ，３６ａ，３８ａ，４０ａとの間で緩和される。その結果、電極部分２４ａ，２６ａ，２８ａ，３０ａ，３４ａ，３６ａ，３８ａ，４０ａは、電歪効果の影響を受けにくくなる。このように本実施形態に係る積層コンデンサＣ２では、第１〜第８の端子電極２４，２６，２８，３０，３４，３６，３８，４０付近での電歪効果による機械的歪みを抑制することができ、歪んだコンデンサ素体２にこれらの端子電極が引っ張られる可能性を低減できる。
【００４２】
したがって、第１実施形態に係る積層コンデンサＣ１と同じく、積層コンデンサＣ３を基板等に実装し、電圧を加えた場合であっても、基板等において発生する音鳴りは抑制される。
【００４３】
以上、本発明の好適な実施形態について説明してきたが、本発明は必ずしも上述した実施形態に限定されるものではなく、その要旨を逸脱しない範囲で様々な変更が可能である。
【００４４】
例えば、内部電極の積層数は上記実施形態での数に限られない。
【００４５】
また、第１実施形態において、第１〜第４の端子電極４，６，８，１０は電極部分４ｂ，６ｂ，８ｂ，１０ｂを有しているとしたが、電極部分４ｂ，６ｂ，８ｂ，１０ｂを有していなくてもよい。図５は、積層コンデンサＣ１の変形例に係る上面図である。図５に示す積層コンデンサにおいて、第１〜第４の端子電極４，６，８，１０はＩ字状となっている。つまり第１〜第４の端子電極４，６，８，１０は、第１〜第６の側面２ａ〜２ｆに電極部分４ａ，６ａ，８ａ，１０ａを有しているが、第５及び第６の側面２ｅ，２ｆには電極部分を有していない。この積層コンデンサを矢印Ａ方向から見ると、電極部分４ａと電極部分４ａの両端をつなぐ仮想線４４とによって囲まれる領域Ａ９（第１の領域）と、電極部分６ａと電極部分６ａの両端をつなぐ仮想線４６とによって囲まれる領域Ａ１０（第２の領域）と、電極部分８ａと電極部分８ａの両端をつなぐ仮想線４８とによって囲まれる領域Ａ１１（第３の領域）と、電極部分１０ａと電極部分１０ａの両端をつなぐ仮想線５０とによって囲まれる領域Ａ１２（第４の領域）とを除いた残りの略十字状の領域に形成されている。つまり、素体部分２１は領域Ａ９〜Ａ１２を避けるように形成されている。この場合にも、素体部分２１と電極部分４ａ，６ａ，８ａ，１０ａとは隔たりを有することとなるため、第１〜第４の端子電極４，６，８，１０付近での電歪効果による機械的歪みを抑制することができる。
【図面の簡単な説明】
【００４６】
【図１】第１実施形態に係る積層コンデンサの斜視図である。
【図２】第１実施形態に係る積層コンデンサの側面図である。
【図３】第１実施形態に係る積層コンデンサの断面図である。
【図４】第２実施形態に係る積層コンデンサの斜視図及び上面図である。
【図５】第１実施形態に係る積層コンデンサの変形例の上面図である。
【符号の説明】
【００４７】
Ｃ１，Ｃ２…積層コンデンサ、Ｅ１，Ｅ２…内部電極、２…コンデンサ素体、２ａ…第１の側面、２ｂ…第２の側面、２ｃ…第３の側面、２ｄ…第４の側面、２ｅ…第５の側面、２ｆ…第６の側面、４，２４…第１の端子電極、６，２６…第２の端子電極、８，２８…第３の端子電極、１０，３０…第４の端子電極、３４…第５の端子電極、３６…第６の端子電極、３８…第７の端子電極、４０…第８の端子電極、２１…素体部分、４４，４６，４８，５０…仮想線。
【図１】
2008187036.tif 000003
【図２】
2008187036.tif 000004
【図３】
2008187036.tif 000005
【図４】
2008187036.tif 000006
【図５】
2008187036.tif 000007